(57)【要約】【課題】  ネットワークを用いて、ユーザ側で編集製作した陶磁器の３次元ＣＧデータを、製作者が閲覧し陶磁器を製作する陶磁器製作システム等を提供する。【解決手段】  画像編集装置１０１は、画像管理サーバ１０５から基本形状である陶磁器の３次元ＣＧデータを読み込み、入力されたパラメタを基に形状変形や質感修正、釉薬、着色等のシミュレーションを行いながら、形状、テクスチャを編集し、編集した３次元ＣＧデータを画像管理サーバ１０５に保存する。画像管理サーバ１０５は、製作者の画像閲覧装置１０３に製作依頼し、画像閲覧装置１０３は、画像管理サーバ１０５から製作依頼された陶磁器の３次元ＣＧデータを読み込み、入力されたパラメタを基に３次元ＣＧデータの視点変更や、拡大縮小、移動などの閲覧情報を設定し、画像を生成し表示する。【選択図】  図５
2005242506.tif 000002
【特許請求の範囲】
【請求項１】
ネットワークによりサーバに接続された利用者の画像編集装置であって、
前記サーバから受け取った陶磁器の形状情報と基本情報を保持する手段と、
前記陶磁器の形状情報を編集する編集手段と、
編集した陶磁器の形状情報と、入力した視点情報を基に、前記陶磁器の画像を生成する手段と、
前記陶磁器の画像と、編集した陶磁器の形状情報に応じて変更した前記基本情報を表示する手段と、
編集した陶磁器の形状情報と基本情報を前記サーバに送信する手段と、
を具備することを特徴とする画像編集装置。
【請求項２】
前記陶磁器の形状情報は、形状データ、質感データ、テクスチャデータ等を含む３次元画像データであることを特徴とする請求項１記載の画像編集装置。
【請求項３】
前記陶磁器の基本情報は、前記陶磁器の大きさ情報、価格情報、外観情報等を少なくとも１つ含む数値化データであることを特徴とする請求項１記載の画像編集装置。
【請求項４】
前記陶磁器の外観情報は、前記陶磁器の釉薬の種類、土の種類、着色情報等を少なくとも１つ含む情報であることを特徴とする請求項３記載の画像編集装置。
【請求項５】
前記編集手段は、前記陶磁器の厚み、大きさ、形状等の少なくとも１つの変形により、前記形状情報の形状データを編集することを特徴とする請求項１記載の画像編集装置。
【請求項６】
前記編集手段は、前記陶磁器に対する、土の種類、釉薬、着色等の少なくとも１つの変更により、前記形状情報の質感データとテクスチャデータを編集することを特徴とする請求項１記載の画像編集装置。
【請求項７】
更に、製作依頼する利用者情報を前記サーバに送信することを特徴とする請求項１記載の画像編集装置。
【請求項８】
編集した陶磁器の形状情報と基本情報を保持する手段、
を、更に具備することを特徴とする請求項１記載の画像編集装置。
【請求項９】
利用者の画像編集装置と、製作者の画像閲覧装置と、ネットワークに介して接続されるサーバであって、
実在する陶磁器から計測した前記陶磁器の形状情報と、その基本情報を保持する手段と、
前記陶磁器の形状情報と基本情報を前記画像編集装置に送信する手段と、
前記画像編集装置から受け取った編集した陶磁器の形状情報と基本情報を保持する手段と、
前記画像閲覧装置に、編集した陶磁器の形状情報と基本情報を基にした陶磁器の製作依頼を通知する手段と、
を具備することを特徴とするサーバ。
【請求項１０】
前記陶磁器の形状情報は、形状データ、質感データ、テクスチャデータ等を含む３次元画像データであることを特徴とする請求項９記載のサーバ。
【請求項１１】
前記陶磁器の基本情報は、前記陶磁器の大きさ情報、価格情報、外観情報等を少なくとも１つ含む数値化データであることを特徴とする請求項９記載のサーバ。
【請求項１２】
前記陶磁器の外観情報は、前記陶磁器の釉薬の種類、土の種類、着色情報等を少なくとも１つ含む情報であることを特徴とする請求項９記載のサーバ。
【請求項１３】
更に、前記画像編集装置から受け取った利用者情報を保持し、前記画像閲覧装置に、前記製作依頼と共に、前記利用者情報を送信することを特徴とする請求項９記載のサーバ。
【請求項１４】
利用者の画像閲覧装置と、サーバと、製作者の画像閲覧装置と、がネットワークを介して接続されるシステムであって、
前記サーバは、
実在する陶磁器から計測した前記陶磁器の形状情報と、その基本情報を保持する手段と、
前記陶磁器の形状情報と基本情報を前記画像編集装置に送信する手段と、
前記画像編集装置から受け取った編集した陶磁器の形状情報と基本情報を保持する手段と、
前記画像閲覧装置に、編集した陶磁器の形状情報と基本情報を基にした陶磁器の製作依頼を通知する手段と、
を具備し、
前記画像編集装置は、
前記サーバから受け取った陶磁器の形状情報と基本情報を保持する手段と、
前記陶磁器の形状情報を編集する編集手段と、
編集した陶磁器の形状情報と、入力した視点情報を基に、前記陶磁器の画像を生成する手段と、
前記陶磁器の画像と、編集した陶磁器の形状情報に応じて変更した前記基本情報を表示する手段と、
編集した陶磁器の形状情報と基本情報を前記サーバに送信する手段と、
を具備し、
前記画像閲覧装置は、
前記サーバからの製作依頼要求に応じて、受け取った陶磁器の形状情報と基本情報を保持する手段と、
前記陶磁器の形状情報と、入力した視点情報を基に、前記陶磁器の画像を生成する手段と、
前記陶磁器の画像と基本情報を表示する手段と、
を具備することを特徴とする陶磁器製作システム。
【請求項１５】
コンピュータを請求項１から請求項８のいずれかに記載の画像編集装置として機能させるプログラム。
【請求項１６】
コンピュータを請求項１から請求項８のいずれかに記載の画像編集装置として機能させるプログラムを記録した記録媒体。
【請求項１７】
コンピュータを請求項９から請求項１３のいずれかに記載のサーバとして機能させるプログラム。
【請求項１８】
コンピュータを請求項９から請求項１３のいずれかに記載のサーバとして機能させるプログラムを記録した記録媒体。
【発明の詳細な説明】
【技術分野】
【０００１】
本発明は、ネットワークを用いた、陶磁器の３次元ＣＧデータに対する画像編集装置、画像管理サーバ、陶磁器製作システム等に関する。
【背景技術】
【０００２】
従来、自分の嗜好に合う陶磁器を手に入れる場合、時間を掛け、様々な場所へ行き、既製品から自分の好みの陶磁器を購入する方法や、自分の嗜好に合わせてカスタマイズされた陶磁器を購入する方法等が挙げられる。カスタマイズする方法は、直接、製作者（窯元）の元に行き、自分の好みを伝えたり、お気に入りの陶磁器の写真を撮影し、それを基に製作してもらったり、更には自分で製作するなどの方法が考えられる。
【０００３】
また、昨今、グラフィックスハードウェアは、３次元ゲームに代表されるようめざましい進歩を遂げており、一般的な家庭に導入されているパーソナルコンピュータでも十分に３次元コンピュータグラフィックス（以下３次元ＣＧとする）を楽しむ事が可能になった。また、ほとんどの安価なパーソナルコンピュータで高性能なハードウェアを搭載し、高速通信が可能になっている。更に、近年、ネットワーク経由で３次元ＣＧデータを配信し、クライアント側で高品位なレンダリングを行い、それを対話的に操作することができるＷｅｂ３Ｄと呼ばれる技術が活用され始めており、クライアント側のパーソナルコンピュータと、サーバとがネットワークを介して接続された陶器レンダリングシステム等が存在する（例えば、特許文献１参照）。
【０００４】
【特許文献１】特開２０００−２８５１５０号公報
【発明の開示】
【発明が解決しようとする課題】
【０００５】
しかしながら、自分の嗜好に合う陶磁器を手に入れようとした場合、時間と労力を掛け、既製品から自分の好みの陶磁器を探し、それから選択し、購入しなければならず、場合によっては、探した結果、自分の好みの製品が見つからない、値段が高い等の問題が発生する場合があった。また、ユーザが自ら製作者（窯元）の元へ行き、ユーザの好みを伝え、製作したり、陶磁器を撮影した静止画で自分の嗜好を伝え製作する場合、好みを伝えるには陶磁器に対して高度な知識が必要であったり、好みを伝えきれておらず、完成品が想像と異なるなどの問題があった。また自分で製作する場合、高い技術力と時間を必要とする問題があった。
また、従来の陶器レンダリングシステムでは、ユーザ側のパーソナルコンピュータで陶磁器の３次元ＣＧシミュレーションを可能とするものであるが、ユーザが自分の好みで製作した陶磁器の３次元ＣＧデータやその陶磁器画像を補足する数値化データを、製作者（窯元）に製作依頼し、製作者が依頼された陶磁器の３次元ＣＧデータ、数値化データを閲覧しながら製作することは出来なかった。
【０００６】
本発明は、以上の点に鑑みてなされたものであり、ネットワークを用いて、ユーザ側で編集製作した陶磁器の３次元ＣＧデータを、製作者が閲覧しながら容易に陶磁器を製作する陶磁器製作システム等を提供することを目的とする。
【課題を解決するための手段】
【０００７】
前述した目的を達成するために第１の発明は、利用者の画像閲覧装置と、サーバと、製作者の画像閲覧装置と、がネットワークを介して接続されるシステムであって、前記サーバは、実在する陶磁器から計測した前記陶磁器の形状情報と、その基本情報を保持する手段と、前記陶磁器の形状情報と基本情報を前記画像編集装置に送信する手段と、前記画像編集装置から受け取った編集した陶磁器の形状情報と基本情報を保持する手段と、前記画像閲覧装置に、編集した陶磁器の形状情報と基本情報を基にした陶磁器の製作依頼を通知する手段と、を具備し、前記画像編集装置は、前記サーバから受け取った陶磁器の形状情報と基本情報を保持する手段と、前記陶磁器の形状情報を編集する編集手段と、編集した陶磁器の形状情報と、入力した視点情報を基に、前記陶磁器の画像を生成する手段と、前記陶磁器の画像と、編集した陶磁器の形状情報に応じて変更した前記基本情報を表示する手段と、編集した陶磁器の形状情報と基本情報を前記サーバに送信する手段と、を具備し、前記画像閲覧装置は、前記サーバからの製作依頼要求に応じて、受け取った陶磁器の形状情報と基本情報を保持する手段と、前記陶磁器の形状情報と、入力した視点情報を基に、前記陶磁器の画像を生成する手段と、前記陶磁器の画像と基本情報を表示する手段と、を具備することを特徴とする陶磁器製作システムである。
【０００８】
また、前記編集手段は、前記陶磁器の厚み、大きさ、形状等の少なくとも１つの変形により、前記形状情報の形状データを編集することが望ましい。
また、前記編集手段は、前記陶磁器に対する、土の種類、釉薬、着色等の少なくとも１つの変更により、前記形状情報の質感データとテクスチャデータを編集することが望ましい。
また、前記画像編集装置は、製作依頼する利用者情報を前記サーバに送信することが望ましい。
また、前記画像編集装置は、編集した陶磁器の形状情報と基本情報を保持する手段、を更に具備することが望ましい。
【０００９】
第１の発明では、サーバは、実在する陶磁器から陶磁器の形状情報を計測し、計測した陶磁器の形状情報と基本情報を保持し、陶磁器の形状情報と基本情報を画像編集装置に送信し、画像編集装置から受け取った編集した陶磁器の形状情報と基本情報を保持し、画像閲覧装置に、編集した陶磁器の形状情報と基本情報を基にした陶磁器の製作依頼を通知する。画像編集装置は、サーバから受け取った陶磁器の形状情報と基本情報を保持し、陶磁器の形状情報を編集し、編集した陶磁器の形状情報と、入力した視点情報を基に、陶磁器の画像を生成し、編集した陶磁器の形状情報に応じて、基本情報を変更し、陶磁器の画像と基本情報を表示し、編集した陶磁器の形状情報と基本情報をサーバに送信する。画像閲覧装置は、サーバからの製作依頼要求に応じて、受け取った陶磁器の形状情報と基本情報を保持し、陶磁器の形状情報と、入力した視点情報を基に、陶磁器の画像を生成し、陶磁器の画像と基本情報を表示する。
【００１０】
「物体の形状情報」とは、形状データ、質感データ、テクスチャデータを含む物体情報である。「形状データ」は、頂点情報と、これらの頂点情報を用いて定義される面情報である。「質感データ」は、物体表面の材料特性を定義する。「テクスチャデータ」は、形状データに張り付ける（マッピングする）壁紙（テクスチャ）画像を表す。
「視点情報」とは、カメラの視点、注視点、上向きベクトル等である。
「陶磁器の基本情報」は、陶磁器の補充情報であり、陶磁器の大きさ情報、価格情報、外観情報等の数値化データである。
「陶磁器の外観情報」は、陶磁器の釉薬種類、土の種類、着色情報等を含む情報である。
【００１１】
第２の発明は、ネットワークによりサーバに接続された利用者の画像編集装置であって、前記サーバから受け取った陶磁器の形状情報と基本情報を保持する手段と、前記陶磁器の形状情報を編集する編集手段と、編集した陶磁器の形状情報と、入力した視点情報を基に、前記陶磁器の画像を生成する手段と、前記陶磁器の画像と、編集した陶磁器の形状情報に応じて変更した前記基本情報を表示する手段と、編集した陶磁器の形状情報と基本情報を前記サーバに送信する手段と、を具備することを特徴とする画像編集装置である。
【００１２】
第２の発明は、第１の発明の陶磁器製作システムで用いられる画像編集装置に関する発明である。
【００１３】
第３の発明は、利用者の画像編集装置と、製作者の画像閲覧装置と、ネットワークに介して接続されるサーバであって、実在する陶磁器から計測した前記陶磁器の形状情報と、その基本情報を保持する手段と、前記陶磁器の形状情報と基本情報を前記画像編集装置に送信する手段と、前記画像編集装置から受け取った編集した陶磁器の形状情報と基本情報を保持する手段と、前記画像閲覧装置に、編集した陶磁器の形状情報と基本情報を基にした陶磁器の製作依頼を通知する手段と、を具備することを特徴とするサーバである。
【００１４】
第３の発明は、第１の発明の陶磁器製作システムで用いられるサーバに関する発明である。
【００１５】
第４の発明は、コンピュータを第２の発明の画像編集装置として機能させるプログラムである。
第５の発明は、コンピュータを第２の発明の画像編集装置として機能させるプログラムを記録した記録媒体である。
【００１６】
第６の発明は、コンピュータを第３の発明のサーバとして機能させるプログラムである。
第７の発明は、コンピュータを第３の発明のサーバとして機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【発明の効果】
【００１８】
本発明は、ネットワークを用いて、ユーザ側で編集製作した陶磁器の３次元ＣＧデータを、製作者が閲覧しながら容易に陶磁器を製作する陶磁器製作システム等を提供することができる。
【発明を実施するための最良の形態】
【００１９】
以下に、添付図面を参照しながら、本発明に係る陶磁器製作システム等の好適な実施形態について詳細に説明する。なお、以下の説明および添付図面において、略同一の機能構成を有する構成要素については、同一の符号を付することにより重複説明を省略することにする。
【００２０】
図１は、本発明の本実施の形態に係る陶磁器製作システム１００の概略構成を示す図である。図１に示すように、陶磁器製作システム１００は、ユーザ１０２の画像編集装置１０１、製作者（窯元）１０４の画像閲覧装置１０３、管理者１０６の画像管理サーバ１０５等が、ネットワーク１０９を介して接続されて構成される。
【００２１】
ネットワーク１０９は、インターネット、ローカルエリアネットワーク（ＬＡＮ）等のネットワークであり、有線、無線を問わない。
【００２２】
ユーザ１０２は、陶磁器の３次元ＣＧデータを製作編集し製作依頼する利用者であり、画像編集装置１０１を有する。画像編集装置１０１は、画像管理サーバ１０５に対し、ネットワーク１０９を介して、陶磁器の３次元ＣＧデータの読み込みや書き込みを行う。また、画像編集装置１０１は、ユーザ１０２により入力部２０５から入力される変更パラメタ、入力指示により、３次元ＣＧデータを編集し、その編集結果を表示部２０７に表示する。尚、画像編集装置１０１は、パーソナルコンピュータ等である。
尚、３次元ＣＧデータとは、形状データ、質感データ、テクスチャデータ等を含む物体情報である。形状データは、頂点情報と、これらの頂点情報を用いて定義される面情報である。質感データは、物体表面の材料特性を定義する。テクスチャデータは、形状データに貼り付ける画像（テクスチャ）を表す。
【００２３】
製作者（窯元）１０４は、陶磁器の製作者であり、画像閲覧装置１０３を有する。画像閲覧装置１０３は、画像管理サーバ１０５から、ネットワーク１０９を介して、陶磁器の製作依頼を受け、陶磁器の３次元ＣＧデータを読み込み、陶磁器の３次元画像を表示部３０７に表示し、入力部３０５（マウス等）から入力されたパラメタを基に、視点位置変更（回転、拡大縮小、移動等）を行う。尚、画像閲覧装置１０３は、パーソナルコンピュータ等である。
【００２４】
管理者１０６は、陶磁器の３次元ＣＧデータ群を管理する管理者であり、画像管理サーバ１０５を有する。画像管理サーバ１０５は、サーバコンピュータ等であり、計測した基本形状となる実在する陶磁器の３次元ＣＧデータ群をデータベースに保存し、編集した画像データの管理を行う。
【００２５】
次に、画像編集装置１０１のハードウェア構成を説明する。図２は、画像編集装置１０１のハードウェア構成図である。
【００２６】
図２に示すように、画像編集装置１０１は、制御部２０１、記憶装置２０２（ハードディスク、外部メモリ）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２７】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２８】
記憶装置２０２（ハードディスク）には、各構成部分を駆動制御するプログラム、画像編集プログラム、Ｗｅｂブラウザ等のアプリケーションプログラム、及び画像管理サーバ１０５から読み込んだ画像データ（３次元ＣＧデータ）５１２、基本情報５１３等からなる陶磁器情報５１１等が記憶されている。
【００２９】
これらの各プログラムコードは、制御部２０１により必要に応じて読み出されてＲＡＭに移され、ＣＰＵに読み出されて各種の手段として実行される。
【００３０】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００３１】
通信制御部２０４は、通信制御装置、通信ポート等であり、ネットワーク１０９を介して、画像管理サーバ１０５間の通信制御を行う。
【００３２】
入力部２０５は、キーボード、マウス等であり、陶磁器の３次元画像の形状変形や、外観の編集パラメタ（質感調整、釉薬、色等）を入力する。
表示部２０７は、ディスプレイ等であり、編集、生成された陶磁器の３次元画像データや、操作案内等を表示する。
印刷部２０６は、プリンタであり、印刷出力処理を行う。
【００３３】
次に、画像閲覧装置１０３のハードウェア構成を説明する。図３は、画像閲覧装置１０３のハードウェア構成図である。
【００３４】
図３に示すように、画像閲覧装置１０３は、制御部３０１、記憶装置３０２（ハードディスク、外部メモリ）、メディア入出力部３０３（ＣＤ−ＲＯＭ）、通信制御部３０４（通信制御装置、通信ポート等）、入力部３０５（キーボード、マウス等）、印刷部３０６（プリンタ）、表示部３０７（ディスプレイ）等が、バス３０９を介して接続される。
【００３５】
制御部３０１は、ＣＰＵ、ＲＯＭ、ＲＡＭ等で構成され、大容量記憶媒体としての記憶装置３０２に格納されたプログラムに従って、バス３０９を介して接続された各装置を駆動制御する。
【００３６】
記憶装置３０２（ハードディスク）には、各構成部分を駆動制御するプログラム、画像閲覧プログラム、Ｗｅｂブラウザ等のアプリケーションプログラム、及び画像管理サーバ１０５から読み込んだ製作依頼された画像データ（３次元ＣＧデータ）５１２、基本情報５１３等が記憶されている。
【００３７】
これらの各プログラムコードは、制御部３０１により必要に応じて読み出されてＲＡＭに移され、ＣＰＵに読み出されて各種の手段として実行される。
【００３８】
メディア入出力部３０３（ＣＤ−ＲＯＭドライブ装置）は、制御部３０１のＲＯＭや記憶装置３０２に記憶されているプログラムや情報をバージョンアップ、機器設定等の設定を行う際に用いられる。
【００３９】
通信制御部３０４は、通信制御装置、通信ポート等であり、ネットワーク１０９を介して、画像管理サーバ１０５間の通信制御を行う。
【００４０】
入力部３０５は、キーボード、マウス等であり、表示された陶磁器の３次元画像を回転、拡大縮小等の視点変更を入力する。
表示部３０７は、ディスプレイ等であり、製作依頼された陶磁器の３次元画像データや、操作案内等を表示する。
印刷部３０６は、プリンタであり、印刷出力処理を行う。
【００４１】
次に、画像管理サーバ１０５のハードウェア構成を説明する。図４は、画像管理サーバ１０５のハードウェア構成図である。
【００４２】
図４に示すように、画像管理サーバ１０５は、制御部４０１、記憶装置４０２（ハードディスク）、メディア入出力部４０３（ＣＤ−ＲＯＭ、３次元スキャナ装置４１３等）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００４３】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００４４】
記憶装置４０２には、各構成部分を駆動制御する制御プログラム、画像管理プログラム、Ｗｅｂサーバ等のアプリケーションプログラム、及び陶磁器データベース５０１、製作陶磁器データベース５０２等が格納されている。
【００４５】
これらの各プログラムコードは、制御部４０１により必要に応じて読み出されてＲＡＭに移され、ＣＰＵに読み出されて各種の手段として実行される。
【００４６】
メディア入出力部４０３は、３次元スキャナ装置４１３、ＣＤ−ＲＯＭドライブ装置等であり、３次元スキャナ装置４１３は、実在する陶磁器の３次元ＣＧデータを計測する。ＣＤ−ＲＯＭドライブ装置は、制御部４０１のＲＯＭや記憶装置４０２に記憶されているプログラムや情報をバージョンアップ、機器設定等の設定を行う際に用いられる。
【００４７】
通信制御部４０４は、通信制御装置、通信ポート等であり、ネットワーク１０９を介して、画像編集装置１０１や画像閲覧装置１０３間の通信制御を行う。
【００４８】
入力部４０５は、キーボード、マウス等であり、表示部４０７（ディスプレイ）に表示された操作案内、各種処理、操作を行う。
印刷部４０６は、プリンタであり、印刷出力処理を行う。
【００４９】
次に、陶磁器製作システム１００の画像編集装置１０１、画像閲覧装置１０３、画像管理サーバ１０５等のそれぞれの有する機能を説明する。図５は、陶磁器製作システム１００の機能ブロックを示す。
【００５０】
図５に示すように、画像編集装置１０１は、ＣＧデータ記憶部１１１、ＣＧデータ管理部１１２、ＣＧデータ編集部１１３、表示計算処理部１１４等からなる。
ＣＧデータ記憶部１１１は、ＣＧデータ管理部１１２から陶磁器の画像データ（３次元ＣＧデータ）５１２と基本情報５１３を読み込み、記憶装置２０２に記憶する。また、記憶していた陶磁器の画像データ（３次元ＣＧデータ）５１２と基本情報５１３をＣＧデータ管理部１１２へ渡す。
ＣＧデータ管理部１１２は、画像管理サーバ１０５から基本形状である陶磁器の画像データ（３次元ＣＧデータ）５１２と基本情報５１３を読み込み、ＣＧデータ編集部１１３に渡す。また、ユーザ１０２によって編集された画像データ５１２、基本情報５１３をＣＧデータ編集部１１３から読み込み、ＣＧデータ記憶部５１１に記憶したり、画像管理サーバ１０５に送信し、保存する。
ＣＧデータ編集部１１３は、陶磁器の画像データ（３次元ＣＧデータ）５１２と基本情報５１３をＣＧデータ管理部１１２から読み込み、入力部２０５から入力されたパラメタを基に、形状変形や質感修正、釉薬、着色等のシミュレーションを行い、その結果を表示計算処理部１１４に渡す。
表示計算処理部１１４は、ＣＧデータ管理部１１２から画像データ（３次元ＣＧデータ）５１２を受け取り、その画像データと視点位置、光源などを考慮し、透視投影変換することで２次元画像を生成し、表示部２０７に表示する。
【００５１】
画像閲覧装置１０３は、ＣＧデータ記憶部１２１、ＣＧデータ管理部１２２、ＣＧデータ編集部１２３、表示計算処理部１２４等からなる。
ＣＧデータ記憶部１２１は、ＣＧデータ管理部１２２から陶磁器の画像データ（３次元ＣＧデータ）５１２と基本情報５１３読み込み、記憶装置３０２に記憶する。
ＣＧデータ管理部５２２は、画像管理サーバ１０５から製作依頼された陶磁器の画像データ（３次元ＣＧデータ）５１２と基本情報５１３を読み込み、ＣＧデータ編集部１２３に渡す。
ＣＧデータ編集部５２３は、陶磁器の画像データ（３次元ＣＧデータ）５１２と基本情報５１３をＣＧデータ管理部１２２から読み込み、入力部３０５から入力されたパラメタを基に、３次元ＣＧデータの視点変更や、拡大縮小、移動などの閲覧情報を設定し、その結果を表示計算処理部１２４に渡す。
表示計算処理部１２４は、ＣＧデータ管理部１２２から画像データ（３次元ＣＧデータ）を受け取り、その画像データと視点位置、光源などを考慮し、透視投影変換することで２次元画像を生成し、表示部３０７に表示する。
【００５２】
画像管理サーバ１０５は、画像計測部１３１と画像管理部１３２からなる。
画像計測部１３１は、３次元スキャナ装置４１３を用いて、基本形状となる複数の実在する陶磁器の３次元ＣＧデータを計測し、そのデータを記憶装置４０２の基本陶磁器データベース５０１に記憶する。
画像管理部１３２は、記憶装置４０２上の基本陶磁器データベース５０１や、製作陶磁器データベース５０２から陶磁器の画像データ（３次元ＣＧデータ）と基本情報５１２を読み込み、ネットワーク１０９を介して、画像編集装置１０１や画像閲覧装置１０３に送受信する。
【００５３】
次に、陶磁器製作システム１００に関連する基本陶磁器データベース５０１と製作陶磁器データベース５０２のデータ構造について説明する。図６は、基本陶磁器データベース５０１と製作陶磁器データベース５０２のデータ構造を示す。
【００５４】
基本陶磁器データベース５０１は、基本形状となる複数の陶磁器情報５１１を有する。陶磁器情報５１１は、画像データ５１２、基本情報５１３等からなる。画像データ５１２は、陶磁器の３次元ＣＧデータである。基本情報５１３は、当該陶磁器の補充情報であり、当該陶磁器の大きさ情報（幅、高さ等）、価格情報、外観情報（釉薬種類、土の種類、着色情報等）の数値化データである。
【００５５】
製作陶磁器データベース５０２は、製作編集した複数の製作陶磁器情報５２１を有する。製作陶磁器情報５２１は、画像データ５１２、基本情報５１３、ユーザ情報５１４等からなる。画像データ５１２は、編集した陶磁器の３次元ＣＧデータである。基本情報５１３は、当該陶磁器の大きさ情報（幅、高さ等）、価格情報、外観情報（釉薬種類、土の種類、着色情報等）である。ユーザ情報５１４は、製作依頼したユーザ１０２の個人情報（氏名、住所、メールアドレス、電話番号等）である。
【００５６】
次に、陶磁器製作システム１００の処理の流れを説明する。図７は、画像管理サーバ１０５の画像計測処理の処理手順を示すフローチャートである。図８、図９は、画像編集装置１０１の処理手順を示すフローチャートである。図１０は、画像管理サーバ１０５と画像閲覧装置１０３の処理手順を示すフローチャートである。
【００５７】
図７に示すように、予め、管理者１０６は、３次元スキャナ装置４１３を用いて、基本形状となる実在する複数の陶磁器の３次元ＣＧデータを計測し（ステップ７０１）、計測した３次元ＣＧデータ、基本情報５１３（大きさ情報、価格情報、外観情報等）を基本陶磁器データベース５０１に記憶しておく（ステップ７０２）。
【００５８】
次に、図８に示すように、画像編集装置１０１の制御部２０１は、画像管理サーバ１０５に、基本形状の陶磁器情報５１１の読込要求を送信する（ステップ８０１）。例えば、制御部２０１は、画像管理サーバ１０５の基本形状の陶磁器画像群を閲覧可能とするＵＲＬを指定し、画像管理サーバ１０５にアクセスする。
画像管理サーバ１０５の制御部４０１は、記憶装置４０２上の基本陶磁器データベース５０１から、基本形状である画像データ（３次元ＣＧデータ）５１２、基本情報５１３等からなる複数の陶磁器情報５１１−１、５１１−２、…を読み出し、画像編集装置１０１に送信する（ステップ８０２）。
【００５９】
尚、画像編集装置１０１と画像管理サーバ１０５との間でのデータの送受信は、ＷｅｂブラウザとＷｅｂサーバを介して、ネットワーク１０９経由で３次元ＣＧデータを配信し、ユーザ側で高品位なレンダリングを行い、それを対話的に操作することができるＷｅｂ３Ｄレンダリングを行い、それを対話的に操作することができるＷｅｂ３Ｄと呼ばれる技術を活用して行われる。
【００６０】
画像編集装置１０１の制御部２０１は、受け取った複数の陶磁器情報５１１−１、５１１−２、…を、記憶装置２０２に記憶する（ステップ８０３）。
制御部２０１は、読み込んだ画像データ５１２から生成した複数の陶磁器画像と基本情報５１３からなる基本形状選択画面（図示せず）を表示する（ステップ８０４）。尚、基本形状選択画面上の陶磁器の画像は、３次元ＣＧデータに限らず、カメラ、デジタルカメラ等により撮影された画像であってもよい。
ユーザ１０２は、複数の陶磁器の画像から、希望する陶磁器の画像を選択する（ステップ８０５）。
【００６１】
図９に示すように、制御部２０１は、選択した陶磁器の画像データ５１２に対して、編集する自由形成画面１３００を表示する（ステップ９０１）。
【００６２】
図１３は、自由形成画面１３００を示す。図１３に示すように、自由形成画面１３００は、形状変形１３０１、釉薬１３０２の選択、一時保存ボタン１３２０、開くボタン１３２１、見積りボタン１３２２等の制御ボタン群から構成される。
【００６３】
形状変形１３０１は、３次元陶磁器データ画面１３０３、３面図１３０４、基本情報５１３、モード切替ボタン等からなる。
３次元陶磁器データ画面１３０３は、画像データ（３次元ＣＧデータ）５１２から生成した陶磁器画像１３１８を表示する。ユーザ１０２は、３次元陶磁器データ画面１３０３上の陶磁器画像１３１８を左ドラッグ１３１３しながら縦移動で高さの伸縮を、右ドラッグ１３１４しながら横移動で幅の伸縮を行う。図１５は陶磁器１５００の部分名称を示す。陶磁器１５００は、口縁１５０１、胴１５０２、腰１５０３、高台１５０４等からなる。例えば、ユーザ１０２は、３次元陶磁器データ画面１３０３上の陶磁器画像１３１８を、左ドラッグ１３１３、又は右ドラッグ１３１４しながら口縁１５０１、胴１５０２、腰１５０３の厚み、高台１５０４などの形状の整形を行う。
【００６４】
３面図１３０４には、横方向１３１５、上方向１３１６、下方向１３１７等を押下することにより、各方向からの視点に切り替え、それぞれ、陶磁器の側面図、正面図、背面図等が表示され、ユーザ１０２は、陶磁器の製作状況を確認する。
基本情報５１３は、大きさ情報１３０５、価格情報１３０６等のテキスト情報であり、形状変形１３０１、釉薬１３０２の変更等により、制御部２０１は、動的に各情報を変更する。例えば、制御部２０１は、形状変形１３０１により大きさ情報１３０５を変更し、釉薬１３０２の変更により、価格情報１３０６を変更する。
モード切替ボタンの閲覧ボタン１３１１を押下することにより、閲覧モードである閲覧画面１４００に遷移する。
【００６５】
釉薬１３０２は、釉薬１３０２のサンプル画像（釉薬Ａ、釉薬Ｂ、釉薬Ｃ、釉薬Ｄ、釉薬Ｅ等）から選択すると、制御部２０１は、選択された釉薬１３０２に応じて、陶磁器の画像データ５１２のテクスチャを編集し、３次元陶磁器データ画面１３０３の陶磁器画像１３１８を切り替える。
【００６６】
編集作業を一時中断し保存した画像データ５１２の再編集作業を行う場合（ステップ９０２のＹｅｓ）、ユーザ１０２が開くボタン１３２１を押下し、制御部２０１は、一時保存した製作編集した陶磁器のデータを開くダイアログメニュを表示し、指定された画像データ５１２、基本情報５１３等を記憶装置２０２から読み込み（ステップ９０３）、自由形成画面１３００に表示する（ステップ９０４）。
【００６７】
ユーザ１０２は、自由形成画面１３００上で陶磁器画像１３１８の形状変形、釉薬の選択等を行い、制御部２０１は、入力部２０５から入力されたパラメタを基に、形状変形や質感修正、釉薬等のシミュレーションを行い、形状やテクスチャを編集し、編集した画像を表示する（ステップ９０５）。
【００６８】
ユーザ１０２が一時保存１３２０を押下し、編集作業を一時中断する場合（ステップ９０６のＹｅｓ）、制御部２０１は、製作編集した陶磁器のデータを一時保存するダイアログメニュを表示し、記憶装置２０２に編集した画像データ５１２、基本情報５１３等を保存する（ステップ９０７）。
【００６９】
編集した陶磁器の製作依頼を行う場合（ステップ９０８のＹｅｓ）、ユーザ１０２は見積りボタン１３２２を押下し、制御部２０１は、見積り画面（図示せず）に遷移し、製作編集した陶磁器の見積り情報を表示し、ユーザ１０２の確認後、ユーザ１０２はユーザ情報５１４（個人情報）、支払い方法等を入力し、画像管理サーバ１０５に製作を依頼する。
制御部２０１は、製作編集した画像データ５１２、基本情報５１３、更に、入力されたユーザ情報５１４を、画像管理サーバ１０５に送信する（ステップ９０９）。
【００７０】
図１０に示すように、画像管理サーバ１０５の制御部４０１は、画像編集装置１０１から受け取った製作編集した画像データ５１２、基本情報５１３、ユーザ情報５１４等を記憶装置４０２の製作陶磁器データベース５０２に記憶する（ステップ１００１）。
制御部４０１は、製作依頼メールを製作者１０４の画像閲覧装置１０３に送信する（ステップ１００２）。製作依頼メールには、例えば、製作依頼する画像データ５１２、基本情報５１３等からなる製作陶磁器情報５２１を示すＵＲＬを記載しておく。
制御部４０１は、ユーザ１０２に対する支払い代金、製作者１０３に対する仲介料等の課金処理を行う（ステップ１００３）。
【００７１】
画像閲覧装置１０３の制御部３０１は、画像管理サーバ１０５からの製作依頼メールを受信し（ステップ１００４）、製作依頼メール上の製作陶磁器情報５２１のＵＲＬを指定し、画像管理サーバ１０５にアクセスし、製作陶磁器情報５２１の画像データ５１２、基本情報５１３、ユーザ情報５１４等を読み込み、記憶装置３０２に記憶する（ステップ１００５）。
【００７２】
尚、画像閲覧装置１０３と画像管理サーバ１０５との間でのデータの送受信は、ＷｅｂブラウザとＷｅｂサーバを介して、ネットワーク１０９経由で３次元ＣＧデータを配信し、製作者側で高品位なレンダリングを行い、それを対話的に操作することができるＷｅｂ３Ｄレンダリングを行い、それを対話的に操作することができるＷｅｂ３Ｄと呼ばれる技術を活用して行われる。
【００７３】
制御部３０１は、製作陶磁器情報５２１の画像データ５１２から陶磁器画像を生成し、陶磁器画像、基本情報５１３等からなる閲覧画面１４００を表示し、ユーザ１０２は、入力部３０５から閲覧情報の指示をあたえながら、閲覧する（ステップ１００６）。
【００７４】
図１４は、閲覧画面１４００を示す。図１４に示すように、閲覧画面１４００は、形状変形１３０１、釉薬１３０２、一時保存ボタン１３２０、開くボタン１３２１、見積りボタン１３２２等の制御ボタン群から構成される。
形状変形１３０１は、３次元陶磁器データ画面１３０３、基本情報５１３、モード切替ボタン等からなる。
３次元陶磁器データ画面１３０３には、製作依頼された画像データ（３次元ＣＧデータ）５１２から生成した陶磁器画像１３１８を表示する。ユーザ１０２は、横回転、縦回転、縮小、拡大、視点移動等をしながら、陶磁器画像１３１８を閲覧する。
基本情報５１３は、製作依頼された陶磁器の大きさ情報１３０５、価格情報１３０６等のテキスト情報である。
モード切替ボタンの自由形成ボタン１３１２は、自由形成画面１３００に遷移するモード切替ボタンである。
釉薬１３０２には、製作依頼された釉薬１３０２を表示する。例えば、釉薬Ｄが選択されている。
【００７５】
製作者１０４は、閲覧画面１４００を閲覧しながら、陶磁器製作を行う（ステップ１００７）。製作者１０４は、ユーザ情報５１４に従い、完成品をユーザ１０２に配送する。
【００７６】
次に、画像編集装置１０１のステップ９０５の処理である３次元陶磁器データの形状、テクスチャの編集処理の処理手順について詳しく説明する。図１１は、３次元陶磁器データの形状、テクスチャ編集処理の処理手順を示すフローチャートである。
【００７７】
図１１に示すように、ユーザ１０２は、自由形成画面１３００に表示された３次元陶磁器データに対して、形状変形や、釉薬の選択等を入力部２０５（マウス等）で指定する（ステップ１１０１）。
制御部２０１は、入力部２０５から入力されたパラメタを基に、画像データ５１２（３次元ＣＧデータ）の形状、テクスチャ編集を行う（ステップ１１０２）。
制御部２０１は、入力部２０５から入力されたパラメタから視点情報を算出する（ステップ１１０３）。
制御部２０１は、編集した画像データ５１２、視点情報から、光源を考慮したレンダリング処理を行い、透視投影変換することで２次元画像を生成する（ステップ１１０４）。
制御部２０１は、生成された２次元画像を表示する（ステップ１１０５）。
制御部２０１は、編集された内容に応じて、基本情報５１３を変更し、表示する（ステップ１１０６）
以上のステップ１１０１からステップ１１０６を繰り返し行う事で、インタラクティブに３次元形状を観察、編集、新規作成等を行う事ができる。
【００７８】
次に、画像閲覧装置１０３のステップ１００６の処理である３次元陶磁器データの画像生成処理の処理手順について詳しく説明する。図１２は、３次元陶磁器データの画像生成処理の処理手順を示すフローチャートである。
【００７９】
図１２に示すように、制御部３０１は、大きさ情報、価格情報、外観情報等の基本情報５１３を表示する（ステップ１２０１）。
制御部３０１は、入力部３０５から入力されたパラメタから視点情報を算出する（ステップ１２０２）。
制御部３０１は、製作依頼された画像データ５１２、視点情報から、光源を考慮したレンダリング処理を行い、透視投影変換することで２次元画像を生成する（ステップ１２０３）。
制御部３０１は、生成された２次元画像を表示する（ステップ１２０４）。
以上のステップ１２０２からステップ１２０４を繰り返し行う事で、インタラクティブに３次元形状を観察、編集、新規作成等を行う事ができる。
【００８０】
以上説明したように、本発明の実施の形態によれば、画像管理サーバ１０５は、実在する複数の陶磁器から陶磁器の画像データ５１２（３次元ＣＧデータ）を計測し、基本形状の陶磁器の画像データ５１２と基本情報５１３（大きさ情報、価格情報、外観情報等）を基本陶磁器データベース５０１に保持する。画像編集装置１０１は、画像管理サーバ１０５から基本陶磁器データベース５０１の画像データ５１２と基本情報５１３を読み込み、選択された陶磁器３次元ＣＧデータを基に、形状整形や質感の調整、釉薬のシミュレーションを行いながら、形状、テクスチャ等を編集し、編集した画像データ５１２と基本情報５１３を画像管理サーバ１０５に送信する。画像管理サーバ１０５は、編集した画像データ５１２と基本情報５１３を保存し、製作者１０４の画像閲覧装置１０３に、製作依頼通知を送信する。画像閲覧装置１０３は、製作依頼された陶磁器の画像データ５１２と基本情報５１３を読み込み、陶磁器画像を生成、表示し、製作者１０４は閲覧しながら、陶磁器製作を行う。
【００８１】
これにより、ユーザ１０２がパーソナルコンピュータ（ＰＣ）上で好みに合った陶磁器を容易に製作することが可能となる。
また、シミュレーションの表示において、製作している陶磁器３次元ＣＧデータに対して、写実性が高くデータサイズが小さいＷｅｂ３Ｄ技術を活用し、ユーザ１０２に対して、より完成品を想像し易くなる。
また、製作者（窯元）１０４は、ユーザ１０２の嗜好が、３次元化、数値化されたデータとして閲覧できるため、より具体的にわかりやすく把握することができ、完成品におけるユーザ１０２と製作者１０４の差異を減らすことができる。また、ユーザ１０２の嗜好が、３次元化、数値化されているため、ユーザ１０２は、自分の嗜好を製作者１０４に容易に伝えることができ、高い技術力や時間を必要としない。
【００８２】
尚、本実施の形態では、陶磁器のテクスチャ編集として、釉薬１３０２の選択によるシミュレーションを可能としているが、これに限るものでなく、反射特性、土の種類等の質感調整、着色の選択等によるシミュレーションを可能とし、テクスチャデータ、質感データの編集を行ってもよい。
また、本実施の形態では、画像編集装置１０１では、自由形成モード（自由形成画面１３００）による陶磁器３次元ＣＧデータの編集を、画像閲覧装置１０３では、閲覧モード（閲覧画面１４００）による陶磁器３次元ＣＧデータの閲覧を可能としたが、画像編集装置１０１、画像閲覧装置１０３は、仕様に応じて、いずれも自由形成モード／閲覧モードに遷移し該当処理を可能としてもよい。
【００８３】
尚、図７、図８、図９、図１０、図１１、図１２等に示す処理を行うプログラムはＣＤ−ＲＯＭ等の記録媒体に保持させて流通させてもよいし、このプログラムを通信回線を介して送受することもできる。
【００８４】
以上、添付図面を参照しながら、本発明に係る陶磁器製作システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８５】
【図１】本実施の形態に係る陶磁器製作システム１００の概略構成を示す図
【図２】画像編集装置１０１のハードウェア構成図
【図３】画像閲覧装置１０３のハードウェア構成図
【図４】画像管理サーバ１０５のハードウェア構成図
【図５】陶磁器製作システム１００の機能ブロックを示す図
【図６】基本陶磁器データベース５０１と製作陶磁器データベース５０２のデータ構造を示す図
【図７】画像管理サーバ１０５の画像計測処理の処理手順を示すフローチャート
【図８】画像編集装置１０１の処理手順を示すフローチャート
【図９】画像編集装置１０１の処理手順を示すフローチャート
【図１０】画像管理サーバ１０５と画像閲覧装置１０３の処理手順を示すフローチャート
【図１１】３次元陶磁器データの形状、テクスチャ編集処理の処理手順を示すフローチャート
【図１２】３次元陶磁器データの画像生成処理の処理手順を示すフローチャート
【図１３】自由形成画面１３００を示す図
【図１４】閲覧画面１４００を示す図
【図１５】陶磁器の部分名称を示す図
【符号の説明】
【００８６】
１００………陶磁器製作システム
１０１………画像編集装置
１０２………ユーザ
１０３………画像閲覧装置
１０４………製作者
１０５………画像管理サーバ
１０６………管理者
１０９………ネットワーク
５０１………基本陶磁器データベース
５０２………製作陶磁器データベース
５１２………画像データ（３次元ＣＧデータ）
５１３………基本情報
【図１】
2005242506.tif 000003
【図２】
2005242506.tif 000004
【図３】
2005242506.tif 000005
【図４】
2005242506.tif 000006
【図５】
2005242506.tif 000007
【図６】
2005242506.tif 000008
【図７】
2005242506.tif 000009
【図８】
2005242506.tif 000010
【図９】
2005242506.tif 000011
【図１０】
2005242506.tif 000012
【図１１】
2005242506.tif 000013
【図１２】
2005242506.tif 000014
【図１３】
2005242506.tif 000015
【図１４】
2005242506.tif 000016
【図１５】
2005242506.tif 000017